(57)【特許請求の範囲】
【請求項１】
電池を充電するために外部機器から無線給電により供給された電力を前記電池に供給する電力供給手段と、
光学像を電気信号に変換するための撮像手段と、
制御手段と
を有し、
撮影を指示するための第１の指示が前記電池の充電が開始されてから前記電池の充電が停止されるまでの期間において行われた場合、前記制御手段は、前記無線給電によるノイズの影響を受けた画像の生成が前記期間において行われないようにするために、前記撮像手段を用いて行われる撮影動作が行われないようにし、
前記第１の指示と異なる第２の指示が前記期間において検出された場合、前記制御手段は、前記第２の指示に対応する所定の処理が行われるようにすることを特徴とする電子機器。
【請求項２】
前記第１の指示が前記期間において行われた場合、前記制御手段は、前記撮影動作が行われないことに関する警告を通知するための処理を行うことを特徴とする請求項１に記載の電子機器。
【請求項３】
前記第１の指示が前記期間において行われた場合、前記制御手段は、前記電池の充電に関する情報を通知するための処理を行うことを特徴とする請求項１または２に記載の電子機器。
【請求項４】
前記所定の処理は、画像の閲覧に関する処理を含むことを特徴とする請求項１から３のいずれか１項に記載の電子機器。
【請求項５】
前記所定の処理は、画像の編集に関する処理を含むことを特徴とする請求項１から３のいずれか１項に記載の電子機器。
【請求項６】
電池を充電するために外部機器から無線給電により供給された電力を前記電池に供給する電力供給手段と、
撮影動作に用いられる所定のセンサと、
制御手段と
を有し、
前記所定のセンサを動作させるための第１の指示が前記電池の充電が開始されてから前記電池の充電が停止されるまでの期間において行われた場合、前記制御手段は、前記無線給電によるノイズの影響を受けた画像の生成が前記期間において行われないようにするために、前記所定のセンサを動作させるための処理が行われないようにし、
前記第１の指示と異なる第２の指示が前記期間において検出された場合、前記制御手段は、前記第２の指示に対応する所定の処理が行われるようにすることを特徴とする電子機器。
【請求項７】
前記第１の指示が前記期間において行われた場合、前記制御手段は、前記所定のセンサを動作させるための処理が行われないことに関する警告を通知するための処理を行うことを特徴とする請求項６に記載の電子機器。
【請求項８】
前記第１の指示が前記期間において行われた場合、前記制御手段は、前記電池の充電に関する情報を通知するための処理を行うことを特徴とする請求項６または７に記載の電子機器。
【請求項９】
前記所定の処理は、画像の閲覧に関する処理を含むことを特徴とする請求項６から８のいずれか１項に記載の電子機器。
【請求項１０】
前記所定の処理は、画像の編集に関する処理を含むことを特徴とする請求項６から８のいずれか１項に記載の電子機器。
【請求項１１】
前記所定のセンサは、測距センサであることを特徴とする請求項６から１０のいずれか１項に記載の電子機器。
【請求項１２】
前記所定のセンサは、測光センサであることを特徴とする請求項６から１０のいずれか１項に記載の電子機器。
【発明の詳細な説明】
【技術分野】
【０００１】
本発明は、電池を充電することができる電子機器に関する。
【背景技術】
【０００２】
従来、デジタルカメラ、携帯電話等の電子機器の二次電池を充電するに際し、電子機器を充電装置の所定位置に戴置することで、電子機器と充電装置双方に設けられる充電用端子が当接されて接触し、二次電池への充電を実行する接触充電方式が主流であった。
【０００３】
しかし、充電用端子が電子機器本体の外部に露出した構造となるため、ゴミや水滴等の付着により充電装置の接続端子と接触不良が生じやすく、また、電子機器本体の接続端子を経由して静電気破壊を招きやすいという欠点があった。
【０００４】
これに対して近年では、無接点充電方式が提案されている。
【０００５】
この無接点充電方式を用いた電子機器としては、特許文献１に開示された、電磁誘導を利用した装置が知られている。
【０００６】
特許文献１には、以下の技術が開示されている。
【０００７】
即ち、充電装置には電磁誘導用の一次コイルを、電子機器本体には同じく電磁誘導用の二次コイルを設け、充電装置に設けた一次コイルを励磁して電磁誘導で電子機器本体の二次コイルに電力を供給して電池を充電する。
【０００８】
また、特許文献２には、電磁誘導の充電方式によって発生する磁界による影響を低減する電子カメラ及び充電装置の提供を目的とした、電磁誘導の受電コイルの配置に関した技術が提案されている。
【０００９】
このような電磁誘導作用を利用する無接点充電方式は、コネクタの接続操作が必要な接触充電方式に比べ、充電装置に戴置するだけで充電が開始されるので使い勝手が良い。
【特許文献１】特開平１−２９８４８２号公報
【特許文献２】特開２００３−１８９１４６号公報
【発明の開示】
【発明が解決しようとする課題】
【００１０】
しかしながら、上記従来技術においては、電磁誘導方式による充電中に電子機器の駆動を行う場合、電磁誘導によって発生する強力な磁界が電子機器内部の信号に影響を与え、電子機器の駆動を阻害するという問題があった。
【００１１】
例えば、撮像装置では、撮像素子からの像信号読み出し中に電磁界ノイズが発生した場合、ノイズ成分を含んで画像処理されてしまい異常な画像が作成されることがあった。
【００１２】
また、微細な出力を得る光学センサ等に電磁界ノイズが影響を及ぼし、正確なセンサ出力を得られないことがあった。
【００１３】
本発明は、充電中に、充電により影響を受ける動作が行われないようにすることを目的とする。 
【課題を解決するための手段】
【００１４】
本発明に係る電子機器は、電池を充電するために外部機器から無線給電により供給された電力を前記電池に供給する電力供給手段と、光学像を電気信号に変換するための撮像手段と、制御手段とを有し、撮影を指示するための第１の指示が前記電池の充電が開始されてから前記電池の充電が停止されるまでの期間において行われた場合、前記制御手段は、前記無線給電によるノイズの影響を受けた画像の生成が前記期間において行われないようにするために、前記撮像手段を用いて行われる撮影動作が行われないようにし、前記第１の指示と異なる第２の指示が前記期間において検出された場合、前記制御手段は、前記第２の指示に対応する所定の処理が行われるようにすることを特徴とする。
本発明に係る電子機器は、電池を充電するために外部機器から無線給電により供給された電力を前記電池に供給する電力供給手段と、撮影動作に用いられる所定のセンサと、制御手段とを有し、前記所定のセンサを動作させるための第１の指示が前記電池の充電が開始されてから前記電池の充電が停止されるまでの期間において行われた場合、前記制御手段は、前記無線給電によるノイズの影響を受けた画像の生成が前記期間において行われないようにするために、前記所定のセンサを動作させるための処理が行われないようにし、前記第１の指示と異なる第２の指示が前記期間において検出された場合、前記制御手段は、前記第２の指示に対応する所定の処理が行われるようにすることを特徴とする。
【発明の効果】
【００１６】
本発明によれば、充電中に、充電により影響を受ける動作が行われないようにすることができる。
【発明を実施するための最良の形態】
【００１７】
以下、本発明の実施の形態を図面を参照しながら詳細に説明する。
【００１８】
図１は、本発明の実施の形態に係る撮像装置と、電磁誘導方式の充電器からなる充電システムのブロック図である。
【００１９】
この撮像装置は、一眼レフレックス方式のデジタルカメラであり、カメラ本体１００には、絞り機能を備える交換可能な撮影レンズ７が装着可能となっている。また、カメラ本体１００には、撮影した画像データを格納する外部メモリ３０が装着可能となっている。
【００２０】
カメラ本体１００に内蔵された電池３は二次電池であり、カメラ本体１００を充電器２００に近接することにより、電磁誘導コイル２０４と電磁誘導コイル５０を介して電力供給が行われる電磁誘導方式の充電システムとなっている。
【００２１】
電池３は、電磁誘導コイル５０を経由した電力によって充電されるので、電池３を取り外すことなく充電できるシステム構成となっている。
【００２２】
カメラ本体１００全体を制御するシステム制御回路１は、ＲＯＭ、ＲＡＭ、Ａ／Ｄコンバータ、Ｄ／Ａコンバータ、時計機能を内部に有するマイクロコンピュータで構成される。
【００２３】
このシステム制御回路１では、撮影に関わる動作や、表示及び操作に関わる動作等が、ＲＯＭに格納されたプログラムにより集中制御される。本発明に関わる充電に関するプログラム動作も、このシステム制御回路１にて制御する。
【００２４】
電源制御部２は、ＤＣ−ＤＣコンバータにより構成されており、システム制御回路１の指示に基づいて、必要な電圧を必要な各部へ供給する。
【００２５】
電池３の電源端子はこの電源制御部２に接続され、カメラ本体１００の電源に問題が発生すると、電源制御部２がカメラ本体１００への電源供給を直ちにオフする。
【００２６】
撮影レンズ７のフォーカシングを制御する測距制御部４は、測距センサを含んで構成され、複数の測距点に基づいて、焦点調節を行う。また、測距制御部４は、システム制御回路１にて演算された絞り値（Ａｖ値）に合わせて、撮影レンズ７内の絞りを開閉する。
【００２７】
測距制御部４は、撮影レンズ７に対する焦点調節や絞り開閉を、レンズ接続端子５，６を介して行う。レンズ接続端子５は、カメラ本体１００側、レンズ接続端子６は撮影レンズ７側の端子である。
【００２８】
シャッタ９の動作を制御する露光制御部８は、測光センサを含んで構成される。露光制御部８は、システム制御回路１にて演算されたシャッタ秒時（Ｔｖ値）に基づいて、シャッタ９の先幕１０及び後幕１１を開閉する。
【００２９】
光学像を電気信号に変換する撮像素子２０は、例えばＣＣＤで構成される。Ａ／Ｄ変換器２１は、撮像素子２０からのアナログ出力信号をデジタル信号に変換する。タイミング発生部２２は、撮像素子２０やＡ／Ｄ変換器２１やＤ／Ａ変換器２４に、クロック信号や制御信号を供給する。
【００３０】
タイミング発生部２２は、メモリ制御部２３及びシステム制御回路１により制御される。画像処理部２５は、Ａ／Ｄ変換器２１からのデータまたはメモリ制御部２３からのデータに対して、所定の画素補間処理や色変換処理を行う。
【００３１】
画像表示メモリ２６に書き込まれた表示用の画像データは、Ｄ／Ａ変換器２４を介してＴＦＴ型カラーＬＣＤ等からなる情報表示部２７に送られ、情報表示部２７で表示される。情報表示部２７は、カメラ本体１００の背面に配置され、撮影後の画像確認に利用されたり、システム制御回路１から送られた情報の表示に利用される。この情報表示部２７にて後述する充電に関する表示が行われる。
【００３２】
画像データメモリ２８は、撮影した静止画像や付帯する撮影情報のコード化されたものを格納するためのメモリである。画像データメモリ２８は、所定枚数の静止画像を格納するのに十分な記憶量を備えている。
【００３３】
画像ファイル生成部２９は、画像データを圧縮伸長しファイル化する。画像ファイル生成部２９では、画像データメモリ２８に格納された画像データを読み出して圧縮処理または伸長処理を行い、処理を終えたデータを、メモリ接続端子３１，３２を介して外部メモリ３０に書き込む。
【００３４】
メモリ接続端子３１はカメラ本体１００側、メモリ接続端子３２は外部メモリ３０側の端子である。
【００３５】
外部メモリ３０は、ＰＣＭＣＩＡカードやフラッシュメモリカード等の規格に準拠した、例えばカード型の取り外し可能なメモリであり、撮影した画像データの保存先となる。
【００３６】
カメラ本体１００の視認し易い位置に設置された撮影情報表示部４１は、システム制御回路１でのプログラムの実行に応じたカメラ本体１００の動作状態を、文字やアイコン等で表示する。
【００３７】
電源供給が断たれても記憶を継続するＥＥＰＲＯＭ等の不揮発性メモリ４２は、撮影条件等の設定情報を記録する。
【００３８】
モードダイアル４３は、本撮像装置で実行されるべき撮影モードを選択するためのものである。シャッタスイッチＳＷ１（４４）は、撮影開始を発動させるものであり、シャッタボタン（図示せず）の操作途中（半押し）でＯＮとなり、撮影動作開始を指示する。シャッタスイッチＳＷ２（４５）は、シャッタボタンの操作完了（全押し）でＯＮとなる。
【００３９】
シャッタスイッチ４５のＯＮによって、撮像素子２０から画像データを読み出して画像処理部２５を経て外部メモリ３０に書き込む一連の撮影処理の動作開始を指示する。
【００４０】
撮影条件等を設定するための回転型のダイアルスイッチ４６を回転させることにより、例えばＴｖ値やＡｖ値を大きい値または小さい値に変化させることができる。ダイアルスイッチ４６の回転で変化した値は、撮影情報表示部４１に表示され、ユーザはこれを見ながら設定を行うことができる。
【００４１】
カメラ本体１００の外装に設置された各種の操作スイッチ４７は、さまざまな撮影条件を決定するスイッチや、撮影された画像の編集・閲覧を指示するためのスイッチ等で構成される。
【００４２】
二次側の電磁誘導コイル５０は、充電器２００の電磁誘導コイル２０４と近接したときに誘導起電力が生じる。電磁誘導コイル５０は、カメラ本体１００が充電器２００に置かれた時に効率の良い電力が得られるように、カメラ本体１００の底面に設置される。
【００４３】
電力生成部５１は、電磁誘導コイル５０の起電力を整流し平滑させる回路で構成される。電力生成部５１にて電磁誘導コイル５０の起電力をＤＣ電圧に生成して、規定の電圧と電流を電池３に伝達供給することにより、電池３に対して充電が行われる。
【００４４】
充電検出部５２は、電力生成部５１の出力から充電中を判定し、システム制御回路１へ情報を伝達する。充電検出部５２は、例えば、電力生成部５１にて生成された出力電圧を検出し、出力電圧が規定の電圧に到達したときに反転する信号をシステム制御回路１へ伝達するように構成されている。
【００４５】
システム制御回路１は、充電検出部５２の反転出力信号を受け取り、電磁誘導コイル５０に起電力が生じているとき、充電中と判定する。
【００４６】
充電検出部５２は、電池３にも接続されており、電池３の出力電圧が規定の電圧に到達したときに反転する信号をシステム制御回路１へ伝達する。システム制御回路１は充電検出部５２の反転出力信号を受け取り、電池３の充電が終了したと判定する。尚、充電検出部５２の構成は上記に限らず、電流検出やその他の信号による検出でも差し支えない。
【００４７】
電磁誘導コイルを持った無接点方式の充電器２００は以下の構成要素を備える。
【００４８】
ＡＣ／ＤＣ回路２０１は、商用電源であるＡＣ入力電圧をＤＣ電圧に変換する。充電器２００の動作及び制御を行う充電制御回路２０２は、発振回路２０３へ規定の周波数となる発振信号を伝達する。
【００４９】
電磁誘導コイル２０４を励磁するための発振回路２０３は、規定の周波数にて電磁誘導コイル２０４は励磁され磁界を発生する。
【００５０】
一次側となる電磁誘導コイル２０４は、充電される媒体（この場合、カメラ本体１００）が置かれる充電器２００の設置面近傍に配置され、磁界を発生している。
【００５１】
充電器２００にカメラ本体１００が置かれると、電磁誘導コイル２０４から電磁誘導コイル５０へ電力供給が行われることにより、無接点充電を可能としている。
【００５２】
次に、図２を用いて電磁誘導コイルを持ったカメラ本体１００と充電器２００の概略動作を説明する。
【００５３】
図２は、図１の充電システムにおける充電時の概略動作を示す説明図である。
【００５４】
図２の（ａ）は、電磁誘導コイル５０を持ったカメラ本体１００と、電磁誘導コイル２０４を持った商用電源に接続された充電器２００を図示している。
【００５５】
カメラ本体１００は充電器２００と充分な距離があるため、電磁誘導コイルによる電力供給は行われず、カメラ本体１００には電磁界ノイズの影響が生じていないことを図示している。
【００５６】
図２の（ｂ）は、カメラ本体１００が充電器２００に設置された状態を示しており、送電側の電磁誘導コイル２０４から受電側の電磁誘導コイル５０へ電力供給を行っている状態、即ち、無接点による充電中を図示している。
【００５７】
周知のごとく、電磁誘導では、送電側コイルの磁界内に受電側コイルが近接することで受電側コイルに誘導起電力が発生する。故に、電磁誘導での充電中に発生する電磁界ノイズは、カメラ本体１００の周囲へ影響を及ぼしている。
【００５８】
図３は、図１のカメラ本体によって実行される充電検出モード処理の手順を示すフローチャートである。
【００５９】
本処理は、図１におけるシステム制御回路１の制御の下に実行される。
【００６０】
まず始めに、システム制御回路１は開始フラグであるポイントＳを通過すると（ステップＳ３０１）、ステップＳ３０２では、システム制御回路１が充電検出部５２の出力をチェックし、電磁誘導コイル５０の誘導起電力を常時監視している。ステップＳ３０２は、通常動作プログラムの中における一連の動作の中で、割り込み動作、または定期的なチェック動作として処理される。
【００６１】
充電検出部５２の検出電圧が規定電圧未満であれば、電磁誘導充電中ではないと判定して、通常ルーチンとなるプログラムを継続する（ステップＳ３０３）。
【００６２】
充電検出部５２の検出電圧が規定電圧以上であれば、電磁誘導コイル５０に誘導起電力が発生中と判定し、ステップＳ３０４の充電検出モードを実行する。
【００６３】
充電検出モードへ移行したら、次にカメラが起動中であるか否かの判定を行う（ステップＳ３０５）。
【００６４】
ステップＳ３０５では、カメラ本体１００のメインスイッチの状態を検出し、メインスイッチがＯＦＦの状態であれば、通常のＯＦＦモードの動作を実行する（ステップＳ３０６）。
【００６５】
ステップＳ３０５にて、メインスイッチがＯＮの状態であれば、カメラ本体１００が起動中と判定する。
【００６６】
ステップＳ３０７では、再度充電検出を行い、充電中か非充電かを判定する。充電検出部５２の検出電圧が規定電圧未満であれば、充電中ではないと判定し（ステップＳ３０８）、ステップＳ３０１へ戻り、電磁誘導コイル５０の誘導起電力監視状態となる。充電検出部５２の検出電圧が規定電圧以上であれば、充電中と判定し（ステップＳ３０９）、ステップＳ３１０の充電モード処理へ移行する。そして、本処理を終了する。
【００６７】
図４は、図３のステップＳ３１０で実行される充電モード処理の第１の実施の形態の手順を示すフローチャートである。
【００６８】
図４において、充電モード処理へ移行したら、ステップＳ４０１のポイントＢを通過し、カメラ本体１００の外装に設けてある各種の操作スイッチの検出を行う。
【００６９】
ここで判定する操作スイッチは、前述したモードダイアル４３、シャッタスイッチＳＷ１とＳＷ２、ダイアルスイッチ４６、各種の操作スイッチ４７等である。
【００７０】
ステップＳ４０２では、電磁誘導充電中にカメラ本体１００が操作されるか否かの判定を行っており、操作されなければステップＳ４０１のポイントＢへ戻り、以後スイッチ検出が継続する。
【００７１】
ステップＳ４０２は、充電検出部５２により検出された電池３の充電中に操作されたスイッチを検出するスイッチ検出手段として機能する。後述するステップＳ７０２も同様である。
【００７２】
ステップＳ４０２にて何らかのスイッチ操作が検出された場合は、システム制御回路１は、予め設定され、記憶されたスイッチグループのテーブルを参照する（ステップＳ４０３）。このスイッチグループのテーブルは、撮影動作に関係する操作スイッチと撮影動作に関係しない操作スイッチとのグループに振り分けられている。
【００７３】
本実施の形態で撮影動作に関係するスイッチは、撮影処理の動作開始を指示するシャッタスイッチＳＷ２等が対象となる。
【００７４】
次に、操作されたスイッチが撮影動作に関係するスイッチか否かの判定を行う（ステップＳ４０４）。ステップＳ４０４は、スイッチ検出手段により検出されたスイッチを判定する判定手段として機能する。
【００７５】
撮影動作に関係しないスイッチは、通常の各種スイッチの動作及び表示を行い（ステップＳ４０５）、その後、ステップＳ４０１のポイントＢへ戻り、操作スイッチ検出状態となる。ステップＳ４０５は、判定手段により撮影動作に関係するスイッチでないと判定された場合に、スイッチの通常操作を行う操作手段として機能する。
【００７６】
ステップＳ４０４の判定で、撮影に関係するスイッチ（例えば、シャッタスイッチ４５）の場合は、撮影動作の禁止し（ステップＳ４０６）、カメラ本体１００の情報表示部２７に充電中を示す告知表示を行う（ステップＳ４０７）。
【００７７】
ステップＳ４０６は、判定手段により撮影動作に関係するスイッチが判定された場合に、撮影動作を禁止する禁止手段として機能する。また、ステップＳ４０７は、禁止手段により撮影動作を禁止した場合に、その旨の告知を行う告知手段として機能する。
【００７８】
図６は、図１における情報表示部に表示される充電情報の一例を示す図である。
【００７９】
図６の（ａ）は、ステップＳ４０７の充電中告知表示の一例を示しており、充電中告知は、カメラ本体１００の背面に設置された情報表示部２７に表示される。撮影動作の開始スイッチが操作されたときの告知表示として、例えば、「充電中です」、「撮影はできません」等の文字を表示する。
【００８０】
この告知表示は操作した者が充分認識できる一定時間の表示でも構わない。また、告知表示は対応するその他の表示方法（例えば、ＬＥＤ点灯等）でも構わない。
【００８１】
図４のステップＳ４０７にて告知表示を行った後、その後の充電中は、ステップＳ４０１のポイントＢへ戻り、操作スイッチ検出状態となる。
【００８２】
図５は、図１のカメラ本体１００によって実行される充電モード終了処理の手順を示すフローチャートである。
【００８３】
図５において、ステップＳ５０１では、システム制御回路１が充電検出部５２の電池３の出力をチェックし、充電状態を監視している。ステップＳ５０１は、充電モードプログラムの中における一連の動作の中で、割り込み動作、または定期的なチェック動作として処理される。
【００８４】
充電検出部５２の検出電圧（電池３の出力電圧）が規定電圧未満であれば、電池３の充電が未満と判定し（ステップＳ５０２）、図３のステップＳ３０４の充電検出モードへ戻り、充電検出モードを繰り返し実行する（ステップＳ５０３）。
【００８５】
充電検出部５２の検出電圧（電池３の出力電圧）が規定電圧以上であれば、電池３の充電が終了したと判定し（ステップＳ５０４）、カメラ本体１００の情報表示部２７に充電終了を示す告知表示を行う（ステップＳ５０５）。
【００８６】
図６の（ｂ）は、ステップＳ５０５の充電終了告知表示の一例を示しており、充電終了告知は、カメラ本体１００の背面に設置された情報表示部２７に表示される。電池３の充電が完了したときの告知表示として、例えば、「充電が終了しました」と表示する。
【００８７】
この告知表示は、操作した者が充分認識できる一定時間の表示でも構わない。また、告知表示は、対応するその他の表示方法（例えば、ＬＥＤ点灯等）でも構わない。
【００８８】
図５のステップＳ５０５にて告知表示を行った後、充電モードを終了して、図３のステップＳ３０１のポイントＳへ戻り、電磁誘導コイル５０の誘導起電力監視状態となる（ステップＳ５０６）。
【００８９】
ステップＳ５０６では、電池３の充電が終了しても電磁誘導の誘導起電力が検出されている間は、上記した充電検出モードと充電モードを繰り返してスイッチ検出を継続するようにしている。これは、電池３の充電が終了した後も、充電器２００の電磁誘導コイル２０４による電磁界ノイズの影響があるためである。
【００９０】
また、カメラ本体１００と充電器２００の距離が充分に離れた場合（電磁界ノイズ影響なし）は、ステップＳ３０２にて誘導起電力を常時監視しているので、すぐさまステップＳ３０３の通常ルーチンへ移行し、通常操作を行うことができる。
【００９１】
以上説明したように、電磁誘導方式にてカメラ本体１００内の電池３を充電する撮像装置において、充電中は撮影処理を行わない構成とすることで、電磁誘導にて発生する電磁界の影響による誤動作を回避するシステムが構築できる。
【００９２】
図７は、図３のステップＳ３１０で実行される充電モード処理の第２の実施の形態の手順を示すフローチャートである。
【００９３】
図７において、充電モードへ移行したら、ステップＳ７０１のポイントＢを通過し、カメラ本体１００の外装に設けてある各種の操作スイッチの検出を行う。
【００９４】
ここで判定する操作スイッチは、前述したモードダイアル４３、シャッタスイッチＳＷ１とＳＷ２、ダイアルスイッチ４６、各種操作スイッチ４７等である。
【００９５】
ステップＳ７０２では、電磁誘導充電中にカメラ本体１００が操作されるか否かの判定を行っており、操作されなければステップＳ７０１のポイントＢへ戻り、以後スイッチ検出が継続する。
【００９６】
ステップＳ７０２にて何らかのスイッチ操作が検出された場合は、システム制御回路１は、予め設定され、記憶されたスイッチグループのテーブルを参照する（ステップＳ７０３）。
【００９７】
このスイッチグループのテーブルは、センサ駆動に関係する操作スイッチとセンサ駆動に関係しない操作スイッチとのグループに振り分けられている。
【００９８】
本実施の形態で、センサ駆動に関係するスイッチは、カメラ本体１００の内部に構成されている、測距センサを含む測距制御部４、測光センサを含む露光制御部８等の駆動開始を指示する操作スイッチが対象となる。
【００９９】
次に、操作されたスイッチがセンサ駆動に関係するスイッチか否かの判定を行う（ステップＳ７０４）。ステップＳ７０４は、スイッチ検出手段により検出されたスイッチを判定する判定手段として機能する。
【０１００】
センサ駆動に関係しないスイッチの操作の場合は、通常の各種スイッチの動作及び表示を行い（ステップＳ７０５）、その後、ステップＳ７０１のポイントＢへ戻り、操作スイッチ検出状態となる。
【０１０１】
ステップＳ７０５は、判定手段によりセンサ駆動に関係するスイッチでないと判定された場合に、スイッチの通常操作を行う操作手段として機能する。
【０１０２】
ステップＳ７０４の判定で、操作されたスイッチがセンサ駆動に関係するスイッチの場合は、その動作の禁止を行い（ステップＳ７０６）、カメラ本体１００の情報表示部２７に充電中を示す告知表示を行う（ステップＳ７０７）。
【０１０３】
ステップＳ７０６は、判定手段によりセンサ駆動に関係するスイッチが判定された場合に、センサ駆動を禁止する禁止手段として機能する。また、ステップＳ７０７は、禁止手段によりセンサ駆動を禁止した場合に、その旨の告知を行う告知手段として機能する。
【０１０４】
図６の（ｃ）は、ステップＳ７０７の充電中告知表示の一例を示しており、充電中告知は、カメラ本体１００の背面に設置された情報表示部２７に表示される。撮影情報等のセンサ出力を表示する開始スイッチが操作されたときの告知表示として、例えば、「充電中です」「その操作はできません」と表示する。
【０１０５】
この告知表示は操作した者が充分認識できる一定時間の表示でも構わない。また、告知表示は対応するその他の表示方法（例えば、ＬＥＤ点灯等）でも構わない。
【０１０６】
図７のステップＳ７０７にて告知表示を行った後、その後の充電中は、ステップＳ７０１のポイントＢへ戻り、操作スイッチ検出状態となる。
【０１０７】
以上説明したように、電磁誘導方式にてカメラ本体１００内の電池３を充電する撮像装置において、充電中はセンサ駆動に関係する動作及び表示は行わない構成とする。このことで、電磁誘導にて発生する電磁界の影響による誤動作及び誤表示を回避するシステムが構築できる。
【図面の簡単な説明】
【０１０８】
【図１】本発明の実施の形態に係る撮像装置と、電磁誘導方式の充電器からなる充電システムのブロック図である。
【図２】図１の充電システムにおける充電時の概略動作を示す説明図である。
【図３】図１のカメラ本体によって実行される充電検出モード処理の手順を示すフローチャートである。
【図４】図３のステップＳ３１０で実行される充電モード処理の第１の実施の形態の手順を示すフローチャートである。
【図５】図１のカメラ本体１００によって実行される充電モード終了処理の手順を示すフローチャートである。
【図６】図１における情報表示部に表示される充電情報の一例を示す図である。
【図７】図３のステップＳ３１０で実行される充電モード処理の第２の実施の形態の手順を示すフローチャートである。
【符号の説明】
【０１０９】
１  システム制御回路
３  電池
２７  情報表示部
５０  電磁誘導コイル（二次側）
５１  電力生成部
５２  充電検出部
１００  カメラ本体（撮像装置）
２００  充電器
２０４  電磁誘導コイル（一次側）
【図１】
0005258392.tif 000002
【図２】
0005258392.tif 000003
【図３】
0005258392.tif 000004
【図４】
0005258392.tif 000005
【図５】
0005258392.tif 000006
【図６】
0005258392.tif 000007
【図７】
0005258392.tif 000008